(57)【要約】  版胴が、胴本体と、第１の平均直径を有する、胴本体の一方の端部における第１の印像領域と、第２の平均直径を有する、胴本体の他方の端部における第２の印像領域と、第１の印像領域と第２の印像領域との間の第３の印像領域とを有する。第３の印像領域が、第１の平均直径及び第２の平均直径よりも大きな第３の平均直径を有している。印刷ユニット、ウェブオフセット印刷機、及び刷版曲げ機も提供される。
2007533511.tif 000002
【特許請求の範囲】
【請求項１】
版胴において、
胴本体と；
胴本体の一方の端部における第１の印像領域とが設けられており、第１の印像領域が第１の平均直径を有しており；
第２の平均直径を有する、胴本体の他方の端部における第２の印像領域が設けられており；
第１の印像領域と第２の印像領域との間に第３の印像領域が設けられており、該第３の印像領域が第３の平均直径を有しており、該第３の平均直径が第１及び第２の平均直径よりも大きいことを特徴とする、版胴。
【請求項２】
第１の平均直径と第２の平均直径とが同じである、請求項１記載の版胴。
【請求項３】
第１の印像領域と、第２の印像領域と、第３の印像領域とがそれぞれ、２つの並んだ印像を有している、請求項１記載の版胴。
【請求項４】
第１の印像領域に取り付けるための第１の刷版と、第２の印像領域に取り付けるための第２の刷版と、第３の印像領域に取り付けるための第３の刷版とが設けられている、請求項１記載の版胴。
【請求項５】
第３の印像領域に取り付けるための第４の刷版が設けられている、請求項４記載の版胴。
【請求項６】
第１の印像領域に取り付けるための第５の刷版が設けられている、請求項５記載の版胴。
【請求項７】
第１の印像領域が周方向で１つの印像を有している、請求項１記載の版胴。
【請求項８】
第１の領域が、第１の印像領域の軸方向範囲に亘って第１の平均直径と等しい一定の直径を有している、請求項１記載の版胴。
【請求項９】
第３の印像領域が、第３の印像領域の軸方向範囲に亘って第３の平均直径と等しい別の一定の直径を有している、請求項８記載の版胴。
【請求項１０】
第１の印像領域がクラウニングされている、請求項１記載の版胴。
【請求項１１】
第３の印像領域がクラウニングされている、請求項１記載の版胴。
【請求項１２】
第１の印像領域と、第２の印像領域と、第３の印像領域とがクラウニングされている、請求項１記載の版胴。
【請求項１３】
第３の印像領域が第１の円錐形の区分を有している、請求項１記載の版胴。
【請求項１４】
第３の印像領域が、版胴の最も大きな直径を規定するために、第１の円錐形の区分に向き合った第２の円錐形の区分を有している、請求項１３記載の版胴。
【請求項１５】
胴本体が、胴本体の一方の端部又は他方の端部の直径よりも大きな、より大きな直径の中央区分を有している、請求項１記載の版胴。
【請求項１６】
第３の印像領域において胴本体を取り囲んだパッキングと、パッキング上に配置された少なくとも１つの刷版とが設けられている、請求項１記載の版胴。
【請求項１７】
第３の刷版が、第１の刷版及び第２の刷版よりも厚い、請求項４記載の版胴。
【請求項１８】
請求項１記載の版胴と、該版胴に接触する圧縮可能なブランケットを備えたブランケット胴とが設けられていることを特徴とするオフセット印刷ユニット。
【請求項１９】
ウェブと、請求項１記載の版胴と、版胴及びウェブに接触する圧縮可能なブランケットを備えたブランケット胴とが設けられていることを特徴とするオフセットウェブ印刷機。
【請求項２０】
請求項１記載の版胴において使用するための刷版のための刷版曲げ機において、刷版曲げ機に、
刷版を軸方向で版胴のどの位置に配置しようとするかに関する情報を受け取るプロセッサと、
刷版を軸方向でどの位置に配置しようとするかに応じて刷版の有効曲げ後長さを変更するための可動な区分とが設けられていることを特徴とする、刷版曲げ機。
【請求項２１】
刷版のための刷版曲げ機において、
刷版を支持するためのベースと；
該ベースに対して傾斜可能な可動な区分とが設けられていることを特徴とする、刷版曲げ機。
【発明の詳細な説明】
【技術分野】
【０００１】
本発明は、概してオフセット印刷、特にオフセット印刷機のための版胴及び関連した刷版曲げ機とに関する。
【０００２】
米国特許第４４８７１２２号明細書は、１対のカウンターローラの間に配置されたウェブの幅に亘って接触圧を提供するためのロール撓みを補償するためのシステムを開示している。米国特許第５０９４１６３号明細書は導電層を備えたロートグラビア印刷機を開示している。米国特許第５９１３２６６号明細書及び米国特許出願公開第２００３／００６１９５５号明細書は版胴を開示しており、引用により本明細書に組み込まれる。米国特許第６２８３０２７号明細書及び米国特許第６１０５４９８号明細書は、凹面プロフィル及び凸面プロフィルを備えたブランケットを含む、可変プロフィルブランケットを開示している。凹面ブランケット胴も開示されている。
【０００３】
米国特許第５９８７９４９号明細書は刷版曲げ機を開示しており、引用により本明細書に組み込まれる。
【０００４】
発明の簡単な概要
特に多印像幅印刷機の場合、版胴及びブランケット胴の中央におけるたわみは、ウェブに印刷することに関する問題を生じるおそれがある。例えば、ウェブの中央は極めて薄く印刷される。
【０００５】
２００３年７月１１日に出願され、引用により本明細書に記載されたものとする、米国特許出願公開第１０／６１７６３９号明細書は、ブランケット胴に配置された場合に少なくとも１つの軸方向で凸状の面を有するキャリヤスリーブ層と、キャリヤスリーブ層上に配置された印刷層とを有するブランケットを開示している。この用途では、キャリヤスリーブの凸状は、例えば、均一な内径と凸状の外径とを備えたキャリヤスリーブ層を有することによって提供されることができる。キャリヤスリーブ層自体は、端部よりも軸方向中央においてより太くなっている。択一的に、キャリヤスリーブは均一な厚さを有することができ、ブランケット胴又はシムが表面凸状を提供することができる。
【０００６】
より大きな直径を有するためのブランケット又はブランケット胴のクラウニングは、印刷中にファンイン、すなわちウェブひいては印刷の横方向絞り込みを生じるおそれがある。
【０００７】
本発明は、胴本体と、胴本体の一方の端部における、第１の平均直径を有する第１の印像領域と、胴本体の他方の端部における、第２の平均直径を有する第２の印像領域と、第３の平均直径を有する、第１の印像領域と第２の印像領域との間の第３の印像領域とが設けられており、第３の平均直径が第１及び第２の平均直径よりも大きい、版胴を提供する。
【０００８】
版胴の中央においてより大きな直径の印像領域を有することによって、印圧若しくは圧迫がウェブの中央において増大されることができる。
【０００９】
各印像領域は２つの並んだ印像を有することができ、これにより、版胴は６つの印像分の幅を有する。好適には、各印像領域は周方向で１つの印像を有する。したがって、１×６版胴が提供されることができる。しかしながら、１×３以上のあらゆる比の版胴、例えば２×６版胴、が提供されることができる。幅が大きくなると、より大きな印圧が必要とされるので、１×４以上の比が好ましい。１×６の比が可能であるが、１×６以上の比は最も好ましい。
【００１０】
１つ又は２つ以上の刷版が各印像領域に取り付けられることができる。
【００１１】
第１及び第２の印像領域は、第３の印像領域と同様に、一定の直径を有することができる。しかしながら、印像領域は、不定の直径を有する、例えば、様々な平均直径を提供するようにクラウニングされるか又は円錐状に成形されることができる。
【００１２】
第３の平均直径が末端区分よりも大きくなるように、胴本体はより大きな直径の中央区分を有することができる。
【００１３】
択一的に、第３の印像領域における１つ又は複数の刷版の直径を増大するために、パッキングが提供されることができる。別の択一例として、第３の印像領域において使用される刷版が、第１及び第２の印像領域において使用される刷版よりも厚いことができる。これらの場合、胴本体は均一な直径を有することができる。
【００１４】
版胴及びブランケット胴を有するオフセット印刷機も提供される。好適には、ブランケット胴は、ファンインを低減するために均一な有効ブランケット直径を有する。
【００１５】
本発明の版胴において使用するための刷版のための刷版曲げ機も提供され、刷版曲げ機は、刷版を版胴のどの軸方向位置に配置しようとするかに応じて、刷版の曲げ後の有効長さを変更するための可動な区分を含む。
【００１６】
本発明は、刷版に対して傾斜可能な可動な区分を有する刷版のための刷版曲げ機をも提供する。可動な区分は、クラウニングされた版胴に適合するように湾曲させられることができる。
【００１７】
ここでいう版胴は、例えばレーザによって印像が胴の外面に直接に書き込まれるような直接にイメージングされる胴を含む。ある実施形態のためには刷版は好適には平らな平版刷版であるが、刷版は、本質的に管状であることもできる。
【００１８】
図面の簡単な説明
以下の図面に関して本発明をさらに説明する。
【００１９】
図１は、より大きな直径の胴本体中央印像領域を有する版胴を備えた本発明の印刷機の第１の実施形態を概略的に示している。
【００２０】
図２及び図３は均一直径胴本体を備えた択一的な版胴を示しており、図２は中央印像領域の下側にパッキングを有しており、図３は中央印像領域により厚い刷版を有する。
【００２１】
図４及び図５はそれぞれ、クラウニングされた及び円錐形の版胴印像領域を示している。
【００２２】
図６は、本発明による刷版曲げ機の概略的な上面図を示している。
【００２３】
図７及び図８は刷版曲げ機の２つの部分的な側面図を示している。
【００２４】
詳細な説明
図１は、ウェブ８に印刷するための均一な半径の外面１１を有するブランケット胴１０を備えた典型的なオフセット平版ウェブ印刷機１の印刷ユニット５を概略的に示している。圧縮可能なブランケット２０は、例えば軸方向で滑動させることによって、ブランケット胴１０に被せ嵌められる。ブランケット又はブランケット胴は、均一な外面又はプロフィルを有する外面を備えることができる。
【００２５】
１×６版胴２２は、２つの並んだ印像Ｅ，Ｆを有する印像領域２４と、２つの並んだ印像Ａ，Ｂを有する印像領域２８と、２つの並んだ印像Ｃ，Ｄを有する中央印像領域２６とを有しており、これらの印像は全てブランケット胴２０を介して、図示されたウェブ８に転写される。例えば鋼から形成されておりかつ軸方向に延びた刷版締付けギャップ３２を有する版胴本体は、印像領域２６においてより大きな直径を有する。これは、例えば、直径を減じるように領域２４，２８において胴本体をフライス削りすることによって達成されることができる。６つの平坦な平版刷版は、ギャップ３２を介して個々の印像領域に取り付けられることができ、刷版はそれぞれ印像Ａ，Ｂ，Ｃ，Ｄ，Ｅ，Ｆを有している。択一的に印像は版胴に直接にイメージングされることができる。
【００２６】
各刷版又は印像領域のための周方向及び／又は横方向の見当は、例えば、引用したことにより全体が本明細書に記載されたことになる米国特許第６５５９９０８号明細書に開示されているような機構によって、提供される。
【００２７】
ウェブ８の反対側にも同様のブランケット胴４０及び版胴４２が設けられることができる。
【００２８】
図１では分かり易くするために直径の差が誇張されている。印像領域２６の直径が大きくなるほど、ブランケット２０，４０の中央における印圧が増大する。印像Ｃ，Ｄに隣接する印像Ｂ，Ｅの部分は、領域２６の突出した状態により、より低い圧力を受けるが、区分２６の増大した直径は、ブランケット２０の圧縮可能な性質と幅全体の印圧変動とが全ての印像Ｂ及びＥのために十分な印圧を提供するように選択されることができる。印刷されない側部領域は、通常、印像領域Ａ，Ｂ，Ｃ，Ｄ，Ｅ，Ｆの間に延びている。
【００２９】
図２は、均一な外径を備えた版胴本体５２を有する版胴５０の択一的な実施形態を示している。全ての刷版５４，５５，５８及び５９は同じ直径を有しているのに対し、刷版５６，５７は、パッキング材料５１，５３を介して胴本体５２に配置された場合により大きな有効直径を有する。例えば帯状又はシート状のＭＹＬＡＲがパッキング材料として使用されることができる。刷版は胴５０上で直接にイメージングされることができる。
【００３０】
図３は、均一な外径を有する版胴本体６２を有する版胴６０の択一的な実施形態を示している。刷版６４，６５，６６，６７，６８及び６９は全て同じ内径を有しているのに対し、刷版６６及び６７は、厚さが増大されていることにより、刷版６４，６５，６８，６９よりも大きな外径を有する。刷版６４，６５，６６，６７，６８，６９は、好適には平坦であるが、管として製造され、版胴本体６２に軸方向で滑り嵌められることができる。刷版は胴５０上で直接にイメージングされることができる。
【００３１】
図４は、クラウニングされた版胴７０を示しており、クラウニングは分かり易くするために誇張されている。刷版７４，７５，７６，７７，７８及び７９は版胴に取り付けられることができるが、直接イメージングも可能である。
【００３２】
図５は、円錐状に区分けされた版胴を示しており、円錐状の区分は分かり易くするために誇張して角度づけられている。印像領域８４，８５，８６，８７，８８及び８９は、例えば印像領域に取り付けられた刷版によって又は直接イメージングによって提供されることができる。
【００３３】
クラウニング又は円錐形状は例えばフライス削りによって達成されることができる。
【００３４】
図６は、本発明による刷版曲げ機９０を示している。印像は、版胴２２のための刷版に、プリプレスイメージングステーション９２においてイメージングされることができ、印像は全て同じ寸法を有することができる。
【００３５】
プリプレス９２を介して、版胴２２における各刷版のための所望の軸方向位置が知られる、すなわち、刷版が１つの色のための印像Ａ，Ｂ，Ｃ，Ｄ，Ｅ又はＦを印刷するかどうか、が知られる。
【００３６】
次いで、距離ＤＩが変化させられるようにプロセッサ９４が刷版曲げ機９０を制御する。ピストン９６，９８は例えば、ベースバー１１０を刷版ベース１００に対して軌道１０２，１０４を介して移動させることができる。図７及び図８に誇張して示されたように、印像Ｃを有する刷版のための距離ＤＩは、刷版２２のより小さな直径区分における、印像Ａを有する刷版のための距離ＤＩよりも長い。版胴２２に軸方向に延びた締付けギャップ３２は、刷版の折り曲げられた区分を保持し、これにより刷版を版胴２２に固定する。刷版縁部をベースバー１１０を中心に折り曲げるためにオーバヘッドアンビルが設けられることができる。
【００３７】
図５の実施形態の場合、刷版曲げ機９０は、ベースバー１１０と向き合った、プロセッサ９４によって制御される余分なベースバーを有することができる。スキュー角ＳＡを形成するためにベース１００に対するベースバー１１０のスキューイングを可能にするために、軌道１０２，１０４とベースバー１１０との間にヒンジ１０６，１０８が設けられることができ、スキュー角ＳＡは、版胴８０における区分８４，８５，８６，８７又は８８のための円錐角に相当することができる。
【００３８】
図４の実施形態の場合、ベースバー１１０と、バーに向き合ったベース１００とは、クラウニングの曲率に合致するように曲げ縁部において丸められることができる。
【００３９】
ここでいう"クラウニング"は、円筒体の回転軸線に対して凸状に湾曲させられた外面を有することを意味する。
【図面の簡単な説明】
【００４０】
【図１】より大きな直径の胴本体中央印像領域を有する版胴を備えた本発明の印刷機の第１の実施形態を概略的に示している。
【図２】中央印像領域の下側にパッキングを有する、均一な直径の胴本体を備えた版胴を示している。
【図３】中央印像領域においてより厚い刷版を有する、均一な直径の胴本体を備えた版胴を示している。
【図４】クラウニングされた版胴印像領域を示している。
【図５】円錐形の版胴印像領域を示している。
【図６】本発明による刷版曲げ機の概略的な上面図を示している。
【図７】刷版曲げ機の部分的な側面図を示している。
【図８】刷版曲げ機の部分的な側面図を示している。
【符号の説明】
【００４１】
１  オフセット平版ウェブ印刷機、  ５  印刷ユニット、  ８  ウェブ、  １０  ブランケット胴、  １１  外面、  ２０  ブランケット、  ２２  版胴、  ２４  印像領域、  ２４，２６，２８  印像領域、  ３２  ギャップ、  ４０  ブランケット胴、  ４２  版胴、  ５０  版胴、  ５１，５３  パッキング材料、  ５２  版胴本体、  ５４，５５，５６，５７，５８，５９  刷版、  ６０  版胴、  ６２  版胴本体、  ６４，６５，６６，６７，６８，６９  刷版、  ７０  版胴、  ７４，７５，７６，７７，７８，７９  刷版、  ８４，８５，８６，８７，８８，８９  印像領域、  ９０  刷版曲げ機、  ９２  プリプレス、  ９４  プロセッサ、  ９６，９８  ピストン、  １００  刷版ベース、  １０２，１０４  軌道、  １１０  ベースバー
【図１】
2007533511.tif 000003
【図２】
2007533511.tif 000004
【図３】
2007533511.tif 000005
【図４】
2007533511.tif 000006
【図５】
2007533511.tif 000007
【図６】
2007533511.tif 000008
【図７】
2007533511.tif 000009
【図８】
2007533511.tif 000010
【国際調査報告】
2007533511.tif 000011
2007533511.tif 000012
2007533511.tif 000013